(57)【要約】【課題】ケーブルが絡まることなく持ち運ぶことが可能な携帯型心電計セットを提供する。【解決手段】携帯型心電計セット１Ａは、持ち運び可能に構成されたものであり、心電図測定回路が設けられた心電計本体１００と、心電図測定用の外部電極を心電図測定回路に接続するためのクリップ２３１〜２３３付きケーブル２２０を有する長尺のリード部２００と、心電計本体１００およびリード部２００を収容して持ち運ぶための巾着袋３００とを備える。携帯型心電計セット１Ａにおいては、リード部２００に含まれるすべてのクリップ２３１〜２３３を同時に取付け可能なクリップ被取付部３２２が巾着袋３００に設けられている。【選択図】図２１
2009082366.tif 000002
【特許請求の範囲】
【請求項１】
持ち運び可能に構成された携帯型心電計セットであって、
心電図測定回路が設けられた心電計本体と、
心電図測定用の外部電極を前記心電図測定回路に接続するためのクリップ付きケーブルを少なくとも２つ以上有する長尺のリード部と、
前記心電計本体および前記リード部を収容して持ち運ぶための収容部材とを備え、
前記２つ以上のクリップ付きケーブルに含まれるすべてのクリップを同時に取付け可能なクリップ被取付部が、前記収容部材、前記リード部および前記心電計本体のいずれかに設けられている、携帯型心電計セット。
【請求項２】
前記クリップ被取付部が、前記収容部材に収容された状態と前記収容部材から取り出された状態との２状態を採り得るように構成されている、請求項１に記載の携帯型心電計セット。
【請求項３】
前記クリップ被取付部は、少なくともその表面が導体材料にて形成されている、請求項１または２に記載の携帯型心電計セット。
【請求項４】
前記クリップ被取付部が、剛体の部材にて構成されている、請求項１から３のいずれかに記載の携帯型心電計セット。
【請求項５】
前記クリップ被取付部が、前記収容部材、前記リード部および前記心電計本体のいずれかに紐状または帯状のストラップを介して取付けられている、請求項１から４のいずれかに記載の携帯型心電計セット。
【請求項６】
前記リード部が、前記心電計本体に着脱自在に取付け可能である、請求項１から５のいずれかに記載の携帯型心電計セット。
【請求項７】
前記心電計本体は、前記心電図測定回路に電気的に接続された心電図測定用の露出電極をその表面に有している、請求項１から６のいずれかに記載の携帯型心電計セット。
【請求項８】
前記収容部材は、巾着袋である、請求項１から７のいずれかに記載の携帯型心電計セット。
【発明の詳細な説明】
【技術分野】
【０００１】
本発明は、持ち運び可能に構成された携帯型心電計セットに関するものであり、より特定的には、心電計本体と、外部電極に接続されるクリップ付きケーブルを有する長尺のリード部と、心電計本体およびリード部を収容して持ち運ぶための収容部材とを備えた携帯型心電計セットに関するものである。
【背景技術】
【０００２】
一般に、不整脈や、狭心症や心筋梗塞等の虚血性心疾患の診断には、患者の心電図が利用される。心電図を得るために利用される心電計としては、種々の構成のものが知られている。その一つに、持ち運びが可能で測定すべき自覚症状が発生した場合に被験者自らが電極を身体に接触させることによって心電波形の測定および記憶を可能にする携帯型心電計が知られている。
【０００３】
携帯型心電計としては、被験者自らが心電波形の測定を迅速に行なうことができるように、心電計本体に露出電極を設け、この露出電極を身体に接触させて測定を行なう形式のもの（たとえば、特開２００５―４０１８７号公報（特許文献１）等参照）や、被験者以外の人（たとえば医師や看護士等）が被験者の心電波形の測定が行なえるように、心電計本体からケーブルを介して外部電極を引き出し、被験者の身体にこの外部電極を装着させて測定を行なう形式のもの（たとえば、特開２００５−２１１３８７号公報（特許文献２）等参照）などがある。特に、後者の携帯型心電計においては、ディスポーザルタイプの外部電極が使用される場合が多く、その場合には、心電計本体に設けられた心電図測定回路と外部電極との電気的な接続を実現するために、心電計本体にクリップ付きケーブルが付属される場合が多い。
【特許文献１】特開２００５−４０１８７号公報
【特許文献２】特開２００５−２１１３８７号公報
【発明の開示】
【発明が解決しようとする課題】
【０００４】
一般に、上述した携帯型心電計においては、３点誘導法にて心電波形の測定が行なわれる。この３点誘導法においては、正電極、負電極および不関電極と呼ばれる３つの電極が使用される。そのため、外部電極を利用して心電波形を測定することが企図された携帯型心電計にあっては、少なくともクリップ付きケーブルが３本必要になることになり、この３本のクリップ付きケーブルが心電計本体に具備されることになる。
【０００５】
ここで、上述したクリップ付きケーブルは、測定の際の利便性を考慮すると所定の長さ（たとえば、３０ｃｍ以上程度の長さ）とされることが必要である。この長尺のクリップ付きケーブルは、心電計本体とともに持ち運びされることになるが、上述したようにクリップ付きケーブルは３本必要であるため、これを輪っか状に束ねて持ち運ぶと取り出しの際にこれらクリップ付きケーブル同士が複雑に絡み合い、これを解かなければ使用できないという煩わしさが生じていた。このような煩わしさは、測定すべき症状が生じている場合に迅速に心電波形を測定することを阻害するものであり、場合によっては測定すべき心電波形を記録する機会を喪失してしまうことにもなりかねない。
【０００６】
また、クリップ付きケーブルは、上述したように輪っか状に束ねて持ち運ばれることが多いため、その取扱い次第によっては断線が生じてしまう場合がある。断線が生じているか否かは外観上で判別することができないため、被験者が断線が生じていることを知らずに使用を続けた結果、測定すべき心電波形が一切記録できないという不都合が生じるおそれもある。
【０００７】
一般に、心電計に使用されているケーブルの断線の有無をチェックする方法としては、ケーブルの両端間の抵抗値を測定することによって断線の有無をチェックする方法や、ケーブルに外部電極を接続した状態においてこれら外部電極間をショートさせ、そのときに心電計本体の表示部に表示される波形を確認して断線の有無をチェックする方法等がある。しかしながら、これらチェック方法はいずれも相当程度の手間を必要とするものであり、心電波形の測定前に毎回行なうことを想定した場合には煩わしさを伴うものであった。このような煩わしさは、やはり測定すべき症状が生じている場合に迅速に心電波形を測定することを阻害するものであり、場合によっては測定すべき心電波形を記録する機会を喪失してしまうことにもなりかねない。また、前者の断線チェック方法を採用するためには、心電計本体に別途、抵抗測定器を設ける必要があり、実現性に乏しいものであった。
【０００８】
したがって、本発明は、このような問題点を解決すべくなされたものであり、その目的とするところは、ケーブルが絡まることなく持ち運ぶことが可能な携帯型心電計セットを提供することにより、手間なく迅速に心電波形を測定することを可能にすることにある。
【０００９】
また、本発明の他の目的は、ケーブルが絡まることなく持ち運ぶことが可能でかつ簡便にケーブルの断線チェックを行なうことが可能な携帯型心電計セットを提供することにより、手間なく迅速にかつ確実に心電波形を測定することを可能にすることにある。
【課題を解決するための手段】
【００１０】
本発明に基づく携帯型心電計セットは、持ち運び可能に構成されたものであり、心電図測定回路が設けられた心電計本体と、心電図測定用の外部電極を上記心電図測定回路に接続するためのクリップ付きケーブルを少なくとも２つ以上有する長尺のリード部と、上記心電計本体および上記リード部を収容して持ち運ぶための収容部材とを備えるものである。本発明に基づく携帯型心電計セットにおいては、上記２つ以上のクリップ付きケーブルに含まれるすべてのクリップを同時に取付け可能なクリップ被取付部が、上記収容部材、上記リード部および上記心電計本体のいずれかに設けられている。
【００１１】
このように構成することにより、収容部材に心電計本体およびリード部を収容するにあたって、クリップ被取付部にリード部に含まれる複数のクリップのすべてを取付けた状態として収容することが可能になるため、リード部に含まれる複数のケーブル同士が絡み合うことが防止されることになる。したがって、ケーブルが絡まることなく持ち運ぶことが可能な携帯型心電計セットとすることができ、手間なく迅速に心電波形を測定することが可能になる。
【００１２】
上記本発明に基づく携帯型心電計セットにあっては、上記クリップ被取付部が、上記収容部材に収容された状態と上記収容部材から取り出された状態との２状態を採り得るように構成されていることが好ましい。
【００１３】
このように構成することにより、収容状態においてはクリップ被取付部が収容部材に収容されてコンパクトに持ち運ぶことができるようになるとともに、取り出しの際にはクリップ被取付部を収容部材の外部に取り出してクリップの取り外しができることになるため、使い勝手のよい携帯型心電計セットとすることができる。
【００１４】
上記本発明に基づく携帯型心電計セットにあっては、少なくとも上記クリップ被取付部の表面が導体材料にて形成されていることが好ましい。
【００１５】
このように構成することにより、クリップ被取付部にリード部に含まれるすべてのクリップを取付けた状態においてクリップ被取付部を介してクリップ付きケーブルのすべてが短絡した状態とすることができる。そのため、当該状態において心電計本体を用いてケーブルの断線チェックを行なうことが可能になる。したがって、クリップ被取付部にリード部に含まれる複数のクリップのすべてを取付けた状態として収容部材に心電計本体およびリード部を収容しておけば、収容部材から心電計本体を取り出しただけで即座にケーブルの断線チェックを行なうことが可能になる。その結果、ケーブルが絡まることなく持ち運ぶことが可能でかつ簡便にケーブルの断線チェックを行なうことが可能な携帯型心電計セットとすることができ、手間なく迅速にかつ確実に心電波形を測定することが可能になる。
【００１６】
上記本発明に基づく携帯型心電計セットにあっては、上記クリップ被取付部が剛体の部材にて構成されていることが好ましい。
【００１７】
このように構成することにより、クリップをクリップ被取付部に取り付け易くなり、使い勝手のよい携帯型心電計セットとすることができる。
【００１８】
また、上記本発明に基づく携帯型心電計セットにあっては、上記クリップ被取付部が、上記収容部材、上記リード部および上記心電計本体のいずれかに紐状または帯状のストラップを介して取付けられていてもよい。
【００１９】
また、上記本発明に基づく携帯型心電計セットにあっては、上記リード部が上記心電計本体に着脱自在に取付け可能であってもよい。
【００２０】
また、上記本発明に基づく携帯型心電計セットにあっては、上記心電計本体が、上記心電図測定回路に電気的に接続された心電図測定用の露出電極をその表面に有していてもよい。
【００２１】
また、上記本発明に基づく携帯型心電計セットにあっては、上記収容部材が巾着袋であってもよい。
【発明の効果】
【００２２】
本発明によれば、ケーブルが絡まることなく持ち運ぶことが可能な携帯型心電計セットとすることができ、手間なく迅速に心電波形を測定することが可能になる。
【００２３】
また、本発明によれば、ケーブルが絡まることなく持ち運ぶことが可能でかつ簡便にケーブルの断線チェックを行なうことが可能な携帯型心電計セットとすることができ、手間なく迅速にかつ確実に心電波形を測定することが可能になる。
【発明を実施するための最良の形態】
【００２４】
以下、本発明の実施の形態について、図を参照して詳細に説明する。なお、以下に示す本実施の形態における携帯型心電計セットは、いわゆる３点誘導法にて心電波形を測定することが可能となるように構成されたものであり、心電波形の測定の利便性に資することとなるように、心電計本体の表面に設けられた露出電極を用いて心電波形を測定することが可能に構成されたばかりでなく、外部電極を用いて心電波形を測定することをも可能に構成されたものである。そのため、以下に示す本実施の形態における携帯型心電計セットにおいては、心電計本体が具備されるのみならず、外部電極接続用のリード部やこれら心電計本体およびリード部を収容可能な収容部材をさらに具備してなるものである。
【００２５】
（実施の形態１）
図１および図２は、本発明の実施の形態１における携帯型心電計セットに含まれる心電計本体の外観構造を示す斜視図である。また、図３ないし図７は、それぞれ図１および図２に示す心電計本体の正面図、上面図、下面図、右側面図および左側面図である。まず、これら図１ないし図７を参照して、本実施の形態における携帯型心電計セットに含まれる心電計本体の外観構造について説明する。
【００２６】
図１ないし図７に示すように、本実施の形態における携帯型心電計セット１Ａに含まれる心電計本体１００は、携帯性に優れたものとなるように片手で保持することが可能な大きさおよび重さにまで軽量・小型化されている。心電計本体１００は、扁平かつ細長の略直方体形状の外形を有しており、その表面（正面１０１、背面１０２、上面１０３、下面１０４、右側面１０５および左側面１０６）に後述する表示部１４８、操作部１４０および露出電極（負電極１２１、正電極１２２および不関電極１２３）等を有している。
【００２７】
図１ないし図３に示すように、心電計本体１００の正面１０１の長手方向（図中矢印Ａ方向）の一方端側には、測定ボタン１４２が設けられており、他方端側には、表示部１４８が設けられている。測定ボタン１４２は、操作部１４０（図１２参照）に含まれ、測定開始を指示するための押しボタンである。表示部１４８は、たとえば液晶ディスプレイなどによって構成され、測定結果などを表示する。
【００２８】
図１および図４に示すように、心電計本体１００の上面１０３の所定位置には、電源ボタン１４１が配置されている。電源ボタン１４１は、操作部１４０（図１２参照）に含まれ、心電計本体１００のＯＮ／ＯＦＦを操作する操作ボタンである。また、心電計本体１００の上面１０３の所定位置には、２つの開閉カバー１３０Ａ，１３０Ｂが設けられている。開閉カバー１３０Ａは、後述する外部電極接続用のリード部２００の雄型コネクタ２１０（図８または図１０参照）が接続される雌型コネクタ１３１（図１０参照）および外部端末接続用のリード部４００の雄型コネクタ４１０（図１０参照）が接続される雌型コネクタ１３２（図１０参照）が設けられた部位に対応する部分の心電計本体１００の表面に設けられており、閉状態においてこれら雌型コネクタ１３１，１３２を覆い隠し、開状態においてこれら雌型コネクタ１３１，１３２を露出させる。一方、開閉カバー１３０Ｂは、後述する外部メモリ１３４が装填されるスロットが設けられた部位に対応する部分の心電計本体１００の表面に設けられており、閉状態において当該スロットを覆い隠し、開状態において当該スロットを露出させる。
【００２９】
図２および図５に示すように、心電計本体１００の下面１０４の所定位置には、各種の操作ボタンが配置されている。具体的には、メニューボタン１４３、決定ボタン１４４、左スクロールボタン１４５および右スクロールボタン１４６が心電計本体１００の下面１０４に配置されている。ここで、これら各種操作ボタンは、操作部１４０（図１２参照）に含まれる。なお、メニューボタン１４３は、心電計本体１００に記憶された測定結果の読出し指示を入力するための操作ボタンであり、決定ボタン１４４は、各操作を実行するために用いる操作ボタンである。また、左スクロールボタン１４５および右スクロールボタン１４６は、表示部１４８に表示される測定結果のグラフやガイド情報等をスクロールして表示させるための操作ボタンである。
【００３０】
また、心電計本体１００の下面１０４の所定位置には、開閉カバー１３０Ｃが設けられている。この開閉カバー１３０Ｃは、後述する電源１６０（図１２参照）としてのバッテリが収容されるバッテリ収容部が設けられた部位に対応する部分の心電計本体１００の表面に設けられており、閉状態において当該バッテリ収容部を覆い隠し、開状態において当該バッテリ収容部を露出させる。
【００３１】
図１および図６に示すように、心電計本体１００の長手方向の一方端に位置する右側面１０５には、露出電極の１つである負電極１２１と、同じく露出電極の１つである身体の電位変化の基準となる電位を導出するための不関電極１２３とが配置されている。この右側面１０５は、後述する第１の測定態様を選択して心電波形を測定することとした場合に、宛がわれた被験者の右手の人差し指が当該右側面１０５にフィットすることとなるように、上下方向に向かって延びる凹部１０５ａを有する滑らかに湾曲した形状とされている。
【００３２】
上述の負電極１２１および不関電極１２３は、導電性の部材にて形成されており、右側面１０５に設けられた凹部１０５ａ内において、その表面が心電計本体１００の表面に露出した状態となるように配置されている。なお、負電極１２１は、右側面１０５の上面１０３寄りに位置しており、不関電極１２３は、右側面１０５の下面１０４寄りに位置している。
【００３３】
図２および図７に示すように、心電計本体１００の長手方向の他方端に位置する左側面１０６には、露出電極の１つである正電極１２２が配置されている。正電極１２２は、導電性の部材にて形成されており、左側面１０６から僅かに突出して設けられている。また、正電極１２２が設けられた心電計本体１００の左側面１０６には、一対の突部１０６ａが設けられており、正電極１２２は、この突部１０６ａによって左側面１０６上において挟まれた状態にある。なお、この突部１０６ａは、心電計本体１００の左側面１０６を被験者の体表面に押し当てた際に、正電極１２２と体表面との接触安定性を確保するための部位である。
【００３４】
図８は、本実施の形態における携帯型心電計セットに含まれる外部電極接続用のリード部の外観構造を示す模式図である。次に、この図８を参照して、本実施の形態における携帯型心電計セットに含まれる外部電極接続用のリード部の外観構造について説明する。
【００３５】
図８に示すように、本実施の形態における携帯型心電計セット１Ａに含まれる外部電極接続用のリード部２００は、心電計本体１００とは別体に構成されており、心電計本体１００に着脱自在に接続可能な雄型コネクタ２１０と、当該雄型コネクタ２１０から引き出された長尺のケーブル２２１〜２２３と、当該ケーブル２２１〜２２３のそれぞれの先端に設けられたクリップ２３１〜２３３とによって主として構成されている。
【００３６】
雄型コネクタ２１０には、接続端子２１２が設けられており、当該接続端子２１２は、上述した心電計本体１００に設けられた雌型コネクタ１３１に設けられた接続端子に着脱自在に接続される。ケーブル２２１〜２２３は、雄型コネクタ２１０が設けられた側の端部寄りの部分において束ねられて集合ケーブル２２０とされており、クリップ２３１〜２３３が設けられた側の端部寄りの部分においてそれぞれ分離されている。クリップ２３１〜２３３は、いわゆる鰐口クリップにて構成されており、その先端に接点２４１〜２４３をそれぞれ有している。
【００３７】
クリップ２３１〜２３３に設けられた接点２４１〜２４３は、後述する第２の測定態様を選択して心電波形を測定することとした場合に、クリップ２３１〜２３３がそれぞれ外部電極に設けられた接点に対して取付けられることにより、当該外部電極に設けられた接点とケーブル２２１〜２２３との電気的導通を確保する部位である。なお、本実施の形態における携帯型心電計セット１Ａにあっては、いわゆる３点誘導法にて心電波形を測定することが企図されているため、正電極、負電極および不関電極の３つに対応すべく３本のクリップ付きケーブルにて外部電極接続用のリード部２００が構成されている。
【００３８】
図９は、外部電極接続用のリード部または外部端末接続用のリード部のいずれかを差し込むための開閉カバーを開状態とした場合の心電計本体の上面図である。また、図１０は、外部電極接続用のリード部および外部端末接続用のリード部を択一的に心電計本体に差し込む様子を示した模式図である。
【００３９】
図９および図１０に示すように、心電計本体１００の上面１０３に設けられた開閉カバー１３０Ａを開いた状態においては、外部電極接続用のリード部２００の雄型コネクタ２１０に接続可能な雌型コネクタ１３１および外部端末接続用のリード部４００の雄型コネクタ４１０に接続可能な雌型コネクタ１３２がそれぞれ露出した状態となる。ここで、雌型コネクタ１３１，１３２は、心電計本体１００の長手方向に並んで配置されており、後述する第２の測定態様にて心電波形を測定する場合には、外部電極接続用のリード部２００の雄型コネクタ２１０を雌型コネクタ１３１に、心電計本体１００に記録された心電波形をＰＣ（Personal Computer）等の外部端末１３３（図１２参照）に接続する場合等には、外部端末接続用のリード部４００の雄型コネクタ４１０を雌型コネクタ１３２に、それぞれ接続する。
【００４０】
外部電極接続用のリード部２００の雄型コネクタ２１０が雌型コネクタ１３１に接続された状態においては、雄型コネクタ２１０の接続端子２１２が雌型コネクタ１３１の接続端子に差し込まれるとともに、雄型コネクタ２１０に設けられた遮蔽部２１０ａが雌型コネクタ１３２の接続端子を閉塞するため、外部端末接続用のリード部４００の雄型コネクタ４１０は雌型コネクタ１３２に接続不能となる。一方、外部端末接続用のリード部４００の雄型コネクタ４１０が雌型コネクタ１３２に接続された状態においては、雄型コネクタ４１０の接続端子４１２が雌型コネクタ１３２の接続端子に差し込まれるとともに、雄型コネクタ４１０に設けられた遮蔽部４１０ａが雌型コネクタ１３１の接続端子を閉塞するため、外部電極接続用のリード部２００の雄型コネクタ２１０は雌型コネクタ１３１に接続不能となる。このように、外部電極接続用のリード部２００の雄型コネクタ２１０および外部端末接続用のリード部４００の雄型コネクタ４１０は、択一的に心電計本体１００に接続されることになる。
【００４１】
図１１は、本実施の形態における携帯型心電計セットに含まれる収容部材としての巾着袋の外観構造を示す正面図である。次に、図１１を参照して、本実施の形態における携帯型心電計セットに含まれる収容部材としての巾着袋の外観構造について説明する。
【００４２】
図１１に示すように、本実施の形態における携帯型心電計セット１Ａに含まれる収容部材としての巾着袋３００は、袋部３１０と、袋部３１０の上端に取付けられた紐３１２と、紐３１２に取付けられたロック部材３１３とを有している。袋部３１０は、その内部に上述した心電計本体１００や外部電極接続用のリード部２００等を収容可能な収容室を有している。また、袋部３１０の上端には、これら心電計本体１００や外部電極接続用のリード部２００等を出し入れするための出し入れ口３１１が設けられている。上述した紐３１２およびロック部材３１３は、当該出し入れ口３１１を開閉可能にするための部材であり、紐３１２に取付けられたロック部材３１３を操作することにより、袋部３１０の出し入れ口３１１が開閉可能となる。
【００４３】
紐３１２には、ストラップ３２１を介してクリップ被取付部３２２が取付けられている。このクリップ被取付部３２２は、適度な剛性を有する部材にて構成されており、上述した外部電極接続用のリード部２００のクリップ２３１〜２３３が取付け可能な形状を有している。具体的には、クリップ被取付部３２２は、棒状の部材にて構成されており、当該棒状の部分にクリップ２３１〜２３３を並べて取付けることが可能に構成されている（図２１等参照）。なお、クリップ被取付部３２２は、袋部３１０の出し入れ口３１１近傍に設けられており、袋部３１０の内部に収容された状態と袋部３１０の外部に取り出された状態との２状態を採り得る。
【００４４】
なお、本実施の形態における携帯型心電計セット１Ａは、上述した心電計本体１００、外部電極接続用のリード部２００および収容部材としての巾着袋３００を少なくとも具備しているが、これらの他にも、付属品として上述した外部端末接続用のリード部４００、外部電極（負電極４５１、正電極４５２および不関電極４５３（図１２、図１９および図２０等参照））、外部メモリ１３４（図１２参照）等を具備している。これら付属品については、後述することとする。
【００４５】
図１２は、本実施の形態における携帯型心電計セットに含まれる心電計本体等の機能ブロックを示す図である。次に、この図１２を参照して、本実施の形態における携帯型心電計セットに含まれる心電計本体等の機能ブロックについて説明する。
【００４６】
図１２に示すように、心電計本体１００は、露出電極としての負電極１２１、正電極１２２および不関電極１２３に加え、操作部１４０および処理回路１５０を主として備えている。操作部１４０は、上述の電源ボタン１４１、測定ボタン１４２、メニューボタン１４３、決定ボタン１４４、左スクロールボタン１４５および右スクロールボタン１４６によって構成されている。また、心電計本体１００には、必要に応じて外部電極接続用のリード部２００を介して外部電極としての負電極４５１，正電極４５２および不関電極４５３が接続される。その接続については、図８および図１０を用いて既に説明したとおりである。
【００４７】
処理回路１５０は、露出電極または外部電極によって検知された生体電気信号を心電波形として測定するように処理するための心電図測定回路を内蔵している。具体的には、処理回路１５０は、露出電極または外部電極によって検知された生体電気信号を増幅するアンプ回路１５１と、アンプ回路１５１から出力された信号からノイズ成分を除去するフィルタ回路１５２と、アナログ信号をデジタル信号に変換するＡ／Ｄ（Analog/Digital）コンバータ１５３と、各種演算を行なうＣＰＵ（Central Processing Unit）１５４と、心電情報を記憶するＲＯＭ（Read Only Memory）やＲＡＭ（Random Access Memory）を有する内部メモリ１５５と、計時動作して計時した時間データをＣＰＵ１５４に出力するタイマ１５６とを備える。ここで、アンプ回路１５１は、不関電極１２３の出力電圧信号に基づき負電極１２１と正電極１２２の出力電圧信号（生体電気信号）を差動増幅して（または不関電極４５３の出力電圧信号に基づき負電極４５１と正電極４５２の出力電圧信号（生体電気信号）を差動増幅して）出力する。また、フィルタ回路１５２は、たとえば０．５Ｈｚ〜３５Ｈｚの通過帯域を有するバンドパスフィルタ（Band Pass Filter）が利用される。
【００４８】
処理回路１５０には、上述の露出電極および操作部１４０（必要に応じて外部電極も）が接続され、さらにこれらに加えて表示部１４８および電源１６０が接続される。また、外部メモリ１３４を挿入するためのスロットに外部メモリ１３４が挿入された状態においては、この外部メモリ１３４も処理回路１５０に接続されることになる。さらには、外部端末接続用のリード部４００を介して外部端末１３３が接続された状態においては、この外部端末１３３も処理回路１５０に接続されることになる。
【００４９】
ＣＰＵ１５４は、Ａ／Ｄコンバータ１５３から入力されるデジタル信号の解析処理を実行し、また、操作部１４０に含まれる各種操作ボタンからの指令信号を受信し、受信した指令信号に応じた処理を実行する。さらに、ＣＰＵ１５４は、内部メモリ１５５への情報の書き込みおよび読み出しを実行し、また、表示部１４８への表示制御を行なう。
【００５０】
図１３は、本実施の形態における携帯型心電計セットに含まれる心電計本体の処理フローを示す図である。以下においては、この図１３を参照して、本実施の形態における携帯型心電計セットの心電計本体での処理の流れについて説明する。
【００５１】
図１３においてフローチャートに示す処理は、予めプログラムとして内部メモリ１５５のＲＯＭ内に格納されており、ＣＰＵ１５４がこのプログラムを読み出して実行することにより、上記処理の実行が行なわれる。
【００５２】
図１３に示すように、被験者によって電源ボタン１４１が押下されて心電計本体１００に電源が投入されると、まず機器の動作チェックが行なわれ（ステップＳ１）、次に表示部１４８に測定ガイドが表示される（ステップＳ２）。この測定ガイドの表示としては、たとえば被験者に測定の際にとるべき測定姿勢をガイダンスとして表示するメッセージ等が採用される。測定姿勢については、後述することとする。
【００５３】
つづいて、被験者が所定の測定姿勢をとりつつ測定ボタン１４２を押下することにより、心電波形の測定および解析が実行される（ステップＳ３およびステップＳ４）。Ａ／Ｄコンバータ１５３によりデジタル信号化された心電波形は、内部メモリ１５５のＲＡＭ内に一時的に記録される。ここで、心電波形の解析とは、デジタル信号化された心電波形より、不整脈や心筋の虚血等を示す形状的特徴の有無、徐脈や頻脈等を示す周期的特徴の有無、ノイズや基線変動等による解析不能な波形の有無等を検出し、検出結果を分析する処理である。なお、心電波形の測定および解析は、公知の手順により行なわれる。
【００５４】
波形解析の結果、得られた心電波形が安定していたか否かの判断が成され（ステップＳ５）、波形が安定していると判断された場合（ステップＳ５においてＹＥＳ）には、ステップＳ６に移行し、表示部１４８において測定波形、心拍数、波形の解析結果に基づくメッセージ等の表示を行なう。ステップＳ６においては、ＣＰＵ１５４が心電波形の解析結果をメッセージに編集し、これを表示部１４８に表示する。この際、メッセージとともに単位時間当たりの心拍数も表示される。心拍数は、心電波形に基づき公知の手順で得ることができる。ステップＳ６の処理が終了すると、ステップＳ７へと移行する。一方、心電波形が安定していないと判断された場合（ステップＳ６においてＮＯ）には、ステップＳ８に移行し、波形の解析が不可であった旨の表示を行なうとともに、測定データを保存するか否かのメッセージを表示する（ステップＳ９）。
【００５５】
ステップＳ９においては、波形の解析が不可であった旨のメッセージに応じて被験者が測定データの保存を選択したか否かが判断され、測定データの保存が選択された場合（ステップＳ９においてＹＥＳ）には、ステップＳ７へと移行する。一方、測定データの破棄が選択された場合（ステップＳ９においてＮＯ）には、ステップＳ１０へと移行する。
【００５６】
ステップＳ７においては、ＣＰＵ１５４が測定データを保存する処理を行なう。すなわち、ＣＰＵ１５４は、タイマ１５６から入力された現在の日時データ、ＲＡＭに一時格納されていた心電波形データおよび解析結果を対応付けて、これらを内部メモリ１５５の所定の記憶領域に格納する。また、ステップＳ１０においては、ＣＰＵ１５４が測定データの破棄を行なう。
【００５７】
以上の一連の処理が心電計本体１００において実施されることにより、心電計本体１００による心電波形の測定および記憶が可能になる。なお、本実施の形態における携帯型心電計セット１Ａに含まれる心電計本体１００は、上記ステップＳ７において保存された心電波形の測定結果および解析結果を読出して表示部１４８に表示する機能を備えている。
【００５８】
図１４および図１５は、本実施の形態における携帯型心電計セットに含まれる心電計本体の表示部における測定結果の表示例を示す図である。以下においては、これら図１４および図１５を参照して、本実施の形態における携帯型心電計セットに含まれる心電計本体の表示部の表示例について説明する。
【００５９】
図１４に示すように、表示部１４８においては、表示開始時点で画面の下段部に全測定期間にわたる全体波形の縮小波形１６２が表示され、その上段部に測定開始時からたとえば２秒間の拡大波形１６４が表示される。また、縮小波形１６２の下方には、縮小波形１６２に近接して測定期間の長さを示すスケールバー１６５が表示される。スケールバー１６５上には、拡大波形１６４が測定期間のどのあたりの波形であるかを指示するためのポインタ１６６が表示される。全測定期間のどのあたりの波形を拡大波形１６４として表示するかを変更するためには、上述の右スクロールボタン１４６と左スクロールボタン１４５を操作してポインタ１６６をスケールバー１６５上にて移動させることによって行なう。これにより、拡大波形１６４は、全測定期間のうちの任意の２秒単位で表示が可能である。また、表示部１４８の所定位置には、脈拍数１６３が表示される。
【００６０】
また、被験者が図１４の画面で心電波形を確認した後に決定ボタン１４４を押下すると、ＣＰＵ１５４は表示中の心電波形に対応した解析結果のデータを内部メモリ１５５から読出してメッセージに編集し、編集したメッセージ１６７を表示部１４８に例えば図１５のように表示する。
【００６１】
以上において説明した本実施の形態における携帯型心電計セット１Ａにおいては、心電計本体１００の表面に露出電極（負電極１２１、正電極１２２および不関電極１２３）が設けられ、これとは別に心電計本体１００に外部電極接続用のリード部２００を介して外部電極（負電極４５１、正電極４５２および不関電極４５３）が接続可能に構成されている。したがって、本実施の形態における携帯型心電計セット１Ａにおいては、露出電極を使用した第１の測定態様と、外部電極を使用した第２の測定態様との２通りでの心電図測定が可能である。以下に、これら２通りの測定態様について詳説する。
【００６２】
図１６および図１７は、本実施の形態における携帯型心電計セットにおいて、第１の測定態様にて心電波形を測定する場合に被験者がとるべき測定姿勢を示す図である。また、図１８は、図１６および図１７に示す測定姿勢を被験者がとった場合の被験者の右手による把持状態を示す図である。まず、これら図１６ないし図１８を参照して、第１の測定態様にて心電波形を測定する場合に被験者がとるべき測定姿勢および心電計本体の操作について説明する。なお、第１の測定態様にて心電波形を測定する場合には、外部電極接続用のリード部は使用しない。
【００６３】
図１６および図１７に示すように、被験者５００は、心電計本体１００の一方端寄りの部分（心電計本体１００の右側面１０５寄りの部分）を右手５１０で把持しつつ、心電計本体１００の他方端（心電計本体１００の左側面１０６）に設けられた正電極１２２を胸部５５０の左側下部に位置する第５肋間前腋窩線上の皮膚に直接接触させる。そして、右手５１０の親指５１１にて心電計本体１００の正面１０１に設けられた測定ボタン１４２を押下する。測定ボタン１４２を押下した後は、心電波形の測定が終了するまでの間、右手５１０で心電計本体１００の上記一方端寄りの部分を把持して心電計本体１００の上記他方端を胸部５５０の上記位置に押し当てた状態を維持する。
【００６４】
このとき、図１８に示すように、被験者５００は、心電計本体１００の正面１０１が上方を向くように心電計本体１００を右手５１０で把持するとともに、心電計本体１００の右側面１０５に右手５１０の人差し指５１２を宛がい、右手５１０の親指５１１を心電計本体１００の正面１０１に押し当てかつ右手５１０の中指を心電計本体１００の背面１０２に押し当てて、心電計本体１００を上下方向から挟み込むように把持する。ここで、右手５１０の人差し指５１２は、心電計本体１００の湾曲した右側面１０５に沿うように軽く曲げて右側面１０５に設けられた凹部１０５ａ内に挿入し、凹部１０５ａ内に設けられた負電極１２１および不関電極１２３に接触させた状態とする。
【００６５】
以上の測定姿勢をとることにより、心電計本体１００の右側面１０５に位置する負電極１２１および不関電極１２３が被験者５００の右手５１０の人差し指５１２に接触し、心電計本体１００の左側面１０６に位置する正電極１２２が被験者５００の胸部５５０に接触した状態となる。これにより、負電極１２１および不関電極１２３に接触した右手５１０、胸部５５０に非接触の前腕５２０、同じく胸部５５０に非接触の上腕５３０、右肩５４０、正電極１２２が押圧された胸部５５０の順で、被験者５００の身体に心電波形を測定するための回路が構成されるようになる。したがって、上記測定姿勢を維持することによって心電波形の測定が可能になる。なお、上記図１６および図１７においては、起立した姿勢にて測定を行なう場合を図示しているが、横臥姿勢や着座姿勢にて測定を行なうこととしてもよい。
【００６６】
図１９および図２０は、本実施の形態における携帯型心電計セットにおいて、第２の測定態様にて心電波形を測定する場合に外部電極を装着すべき位置を示す図である。なお、図１９は、第２の測定態様の一例としてＣＭ５誘導に基づく外部電極の装着位置を示す図であり、図２０は、第２の測定態様の他の例としてＣＣ５誘導に基づく外部電極の装着位置を示す図である。なお、これらＣＭ５誘導およびＣＣ５誘導は、いずれも１２誘導法（胸部誘導）におけるＶ５誘導に類似する誘導である。次に、これら図１９および図２０を参照して、第２の測定態様にて心電波形を測定する場合に被験者がとるべき測定姿勢、外部電極の装着位置および心電計本体（外部電極接続用のリード部を含む）の操作について説明する。
【００６７】
まず、第２の測定態様にて心電波形を測定する場合には、心電計本体１００の開閉カバー１３０Ａを開状態とし、外部電極接続用の雌型コネクタ１３１に外部電極接続用のリード部２００の雄型コネクタ２１０を差し込む。次に、図１９および図２０に示すように、被験者５００の胸部５５０の所定位置に外部電極としての負電極４５１、正電極４５２および不関電極４５３をそれぞれ装着する。ここで、負電極４５１、正電極４５２および不関電極４５３は、たとえばディスポーザブルタイプの粘着電極からなり、その電極部と導通する突出形状の接点をそれぞれその非電極面側に有している。
【００６８】
具体的には、ＣＭ５誘導にて心電波形を測定する場合には、図１９に示すように、被験者５００の胸部５５０の胸骨上端にあたる皮膚に負電極４５１を、左側第５肋間前腋窩線上の皮膚に正電極４５２を、右鎖骨下の外側より１／３程度の部位にあたる皮膚に不関電極４５３をそれぞれ装着する。また、ＣＣ５誘導にて心電波形を測定する場合には、図２０に示すように、被験者５００の右側第５肋間前腋窩線上の皮膚に負電極４５１を、左側第５肋間前腋窩線上の皮膚に正電極４５２を、右鎖骨下の外側より１／３程度の部位にあたる皮膚に不関電極４５３をそれぞれ装着する。
【００６９】
次に、負電極４５１、正電極４５２および不関電極４５３に設けられた上記突出形状の接点に外部電極接続用のリード部２００に含まれるそれぞれのクリップ２３１〜２３３を対応づけて取付ける。そして、当該状態を維持しつつ心電計本体１００の測定ボタン１４２を押下することで、心電波形の測定が行なわれる。なお、測定中においては、被験者５００が仰臥姿勢をとることが好ましいが、横臥姿勢や着座姿勢をとることとしてもよい。
【００７０】
図２１は、本実施の形態における携帯型心電計セットにおいて、収容部材としての巾着袋に心電計本体および外部電極接続用のリード部を収容する態様について説明するための図である。また、図２２は、本実施の形態における携帯型心電計セットにおいて、収容部材としての巾着袋に心電計本体および外部電極接続用のリード部を収容した状態を示す図である。次に、これら図２１および図２２を参照して、本実施の形態における携帯型心電計セットにおいて、収容部材としての巾着袋に心電計本体および外部電極接続用のリード部を収容する態様および収容した状態について説明する。
【００７１】
上述したように、本実施の形態における携帯型心電計セット１Ａは、心電計本体１００に加え、外部電極接続用のリード部２００および収容部材としての巾着袋３００を具備している。携帯のために、巾着袋３００に心電計本体１００および外部電極接続用のリード部２００を収容する際には、図２１に示すように、外部電極接続用のリード部２００の雄型コネクタ２１０を心電計本体１００の雌型コネクタ１３１に接続した状態とするとともに、外部電極接続用のリード部２００に含まれるすべてのクリップ２３１〜２３３を巾着袋３００に取付けられたクリップ被取付部３２２に取付ける。そして、外部電極接続用のリード部２００のケーブル２２１〜２２３を輪っか状に束ね、その状態を維持しつつ、心電計本体１００、輪っか状に束ねたケーブル２２１〜２２３およびクリップ２３１〜２３３が取付けられたクリップ被取付部３２２を巾着袋３００の袋部３１０内に入れる。そして、図２２に示すように、巾着袋３００の出し入れ口３１１を紐３１２およびロック部材３１３を用いて絞って閉塞させる。
【００７２】
以上により、巾着袋３００内に心電計本体１００および外部電極接続用のリード部２００が収容されることになり、携帯に適した状態となる。なお、必要に応じて、当該巾着袋３００内に外部電極（負電極４５１、正電極４５２および不関電極４５３）や外部端末接続用のリード部４００、外部メモリ１３４等を上記心電計本体１００および外部電極接続用のリード部２００とともに収容することとしてもよい。
【００７３】
以上の如くの携帯型心電計セット１Ａとすることにより、収容部材としての巾着袋３００に心電計本体１００および外部電極接続用のリード部２００を収容するにあたって、巾着袋３００に設けられたクリップ被取付部３２２に外部電極接続用のリード部２００に含まれるすべてのクリップ２３１〜２３３を取付けた状態として収容することが可能になるため、外部電極接続用のリード部２００に含まれるすべてのケーブル２２１〜２２３同士が絡み合うことが防止されることになる。したがって、ケーブル２２１〜２２３が絡まることなく持ち運ぶことが可能な携帯型心電計セットとすることができ、手間なく迅速に心電波形を測定することが可能になる。
【００７４】
また、本実施の形態においては、好ましくは巾着袋３００に設けられたクリップ被取付部３２２を導体材料にて構成する。その場合、少なくともクリップ被取付部３２２のクリップ２３１〜２３３が取付けられる棒状の部分の表面が導体材料にて構成されていればよい。このように構成した場合には、外部電極接続用のリード部２００の断線チェックを非常に容易に行なえるようになる。以下に、その断線チェック方法について説明する。
【００７５】
図２３は、断線チェックを行なう場合の電気的な接続を示す模式図である。図２３に示すように、その表面が導体材料にて形成されたクリップ被取付部３２２に外部電極接続用のリード部２００のクリップ２３１〜２３３を取付けた場合には、当該クリップ２３１〜２３３のそれぞれに設けられた接点２４１〜２４３がクリップ被取付部３２２を介して電気的に接続された状態となる。ここで、クリップ２３１〜２３３の接点２４１〜２４３は、それぞれケーブル２２１〜２２３を介して心電計本体１００に設けられた心電図測定回路に電気的に接続されている。
【００７６】
そのため、当該クリップ被取付部３２２に外部電極接続用のリード部２００のクリップ２３１〜２３３を取付けた状態において、心電計本体１００の測定ボタン１４２を押下することにより、心電計本体１００の表示部１４８に表示される波形を確認することによってケーブル２２１〜２２３の断線の有無をチェックすることが可能になる。図２４は、ケーブルに断線がない場合の表示部の表示例を示す図であり、図２５は、ケーブルに断線がある場合の表示部の表示例を示す図である。
【００７７】
図２４に示すように、ケーブル２２１〜２２３に断線がない場合には、当該測定回路中にオープンの部分が存在しないため、電位差は計測されずに波形１６４が電位差０Ｖで安定することになる。これに対し、図２５に示すように、ケーブル２２１〜２２３のいずれかに断線がある場合には、当該測定回路中にオープンの部分が存在することになるため、不安定な波形１６４が計測されることになる。このように、クリップ被取付部３２２にクリップ２３１〜２３３を取付けた状態において心電計本体１００の測定ボタン１４２を押下することにより、ケーブル２２１〜２２３の断線の有無をチェックすることが可能になる。
【００７８】
なお、クリップ被取付部３２２にクリップ２３１〜２３３を取付けた状態は、上述した収容状態そのものであり、クリップ被取付部３２２に外部電極接続用のリード部２００に含まれるすべてのクリップ２３１〜２３３を取付けた状態として収容部材としての巾着袋３００に心電計本体１００および外部電極接続用のリード部２００を収容しておけば、巾着袋３００から心電計本体１００を取り出しただけで即座にケーブル２２１〜２２３の断線チェックを行なうことが可能になる。したがって、ケーブル２２１〜２２３が絡まることなく持ち運ぶことが可能でかつ簡便にケーブル２２１〜２２３の断線チェックを行なうことが可能な携帯型心電計セットとすることができ、手間なく迅速にかつ確実に心電波形を測定することが可能になる。
【００７９】
（実施の形態２）
図２６は、本発明の実施の形態２における携帯型心電計セットにおいて、収容部材としての巾着袋に心電計本体および外部電極接続用のリード部を収容する態様について説明するための図である。本実施の形態における携帯型心電計セット１Ｂは、上述の実施の形態１における携帯型心電計セット１Ａと同様に、心電計本体１００と、外部電極接続用のリード部２００と、収容部材としての巾着袋３００とを備えるものであり、クリップ被取付部が設けられる位置が異なる以外の構成は全く同様のものである。したがって、図中同一または相当の部分に同一の符号を付し、その説明はここでは繰り返さない。
【００８０】
図２６に示すように、本実施の形態における携帯型心電計セット１Ｂにおいては、クリップ被取付部１７２が、心電計本体１００に取付けられた携帯用ストラップ１７０にストラップ１７１を介して取付けられている。
【００８１】
携帯のために、巾着袋３００に心電計本体１００および外部電極接続用のリード部２００を収容する際には、図２６に示すように、外部電極接続用のリード部２００の雄型コネクタ２１０を心電計本体１００の雌型コネクタ１３１に接続した状態とするとともに、外部電極接続用のリード部２００に含まれるすべてのクリップ２３１〜２３３を心電計本体１００に取付けられたクリップ被取付部１７２に取付ける。そして、外部電極接続用のリード部２００のケーブル２２１〜２２３を輪っか状に束ね、その状態を維持しつつ、心電計本体１００、輪っか状に束ねたケーブル２２１〜２２３およびクリップ２３１〜２３３が取付けられたクリップ被取付部１７２を巾着袋３００の袋部３１０内に入れる。そして、巾着袋３００の出し入れ口３１１を紐３１２およびロック部材３１３を用いて絞って閉塞させる。以上により、携帯に適した状態に、巾着袋３００内に心電計本体１００および外部電極接続用のリード部２００が収容されることになる。
【００８２】
以上の如くの携帯型心電計セット１Ｂとすることにより、収容部材としての巾着袋３００に心電計本体１００および外部電極接続用のリード部２００を収容するにあたって、心電計本体１００に設けられたクリップ被取付部１７２に外部電極接続用のリード部２００に含まれるすべてのクリップ２３１〜２３３を取付けた状態として収容することが可能になるため、外部電極接続用のリード部２００に含まれるすべてのケーブル２２１〜２２３同士が絡み合うことが防止されることになる。したがって、ケーブル２２１〜２２３が絡まることなく持ち運ぶことが可能な携帯型心電計セットとすることができ、手間なく迅速に心電波形を測定することが可能になる。なお、本実施の形態における携帯型心電計セット１Ｂにおいても、クリップ被取付部１７２のクリップ２３１〜２３３が取付けられる部分の表面を導電材料にて形成することにより、上述した要領と同様の要領でケーブル２２１〜２２３の断線チェックを行なうことが可能である。
【００８３】
（実施の形態３）
図２７は、本発明の実施の形態３における携帯型心電計セットにおいて、収容部材としての巾着袋に心電計本体および外部電極接続用のリード部を収容する態様について説明するための図である。本実施の形態における携帯型心電計セット１Ｃは、上述の実施の形態１における携帯型心電計セット１Ａと同様に、心電計本体１００と、外部電極接続用のリード部２００と、収容部材としての巾着袋３００とを備えるものであり、クリップ被取付部が設けられる位置が異なる以外の構成は全く同様のものである。したがって、図中同一または相当の部分に同一の符号を付し、その説明はここでは繰り返さない。
【００８４】
図２７に示すように、本実施の形態における携帯型心電計セット１Ｃにおいては、クリップ被取付部２５２が、ストラップ２５１を介して外部電極接続用のリード部２００の集合ケーブル２２０に取付けられている。
【００８５】
携帯のために、巾着袋３００に心電計本体１００および外部電極接続用のリード部２００を収容する際には、図２７に示すように、外部電極接続用のリード部２００の雄型コネクタ２１０を心電計本体１００の雌型コネクタ１３１に接続した状態とするとともに、外部電極接続用のリード部２００に含まれるすべてのクリップ２３１〜２３３を外部電極接続用のリード部２００に取付けられたクリップ被取付部２５２に取付ける。そして、外部電極接続用のリード部２００のケーブル２２１〜２２３を輪っか状に束ね、その状態を維持しつつ、心電計本体１００、輪っか状に束ねたケーブル２２１〜２２３およびクリップ２３１〜２３３が取付けられたクリップ被取付部２５２を巾着袋３００の袋部３１０内に入れる。そして、巾着袋３００の出し入れ口３１１を紐３１２およびロック部材３１３を用いて絞って閉塞させる。以上により、携帯に適した状態に、巾着袋３００内に心電計本体１００および外部電極接続用のリード部２００が収容されることになる。
【００８６】
以上の如くの携帯型心電計セット１Ｃとすることにより、収容部材としての巾着袋３００に心電計本体１００および外部電極接続用のリード部２００を収容するにあたって、外部電極接続用のリード部２００に設けられたクリップ被取付部２５２に外部電極接続用のリード部２００に含まれるすべてのクリップ２３１〜２３３を取付けた状態として収容することが可能になるため、外部電極接続用のリード部２００に含まれるすべてのケーブル２２１〜２２３同士が絡み合うことが防止されることになる。したがって、ケーブル２２１〜２２３が絡まることなく持ち運ぶことが可能な携帯型心電計セットとすることができ、手間なく迅速に心電波形を測定することが可能になる。なお、本実施の形態における携帯型心電計セット１Ｃにおいても、クリップ被取付部２５２のクリップ２３１〜２３３が取付けられる部分の表面を導電材料にて形成することにより、上述した要領と同様の要領でケーブル２２１〜２２３の断線チェックを行なうことが可能である。
【００８７】
上述した本発明の実施の形態１ないし３においては、外部電極と露出電極の両者で心電波形を測定することが可能に構成された携帯型心電計セットを例示して説明を行なったが、心電計本体としては、露出電極を用いて心電波形を計測することが企図されていないものを使用することも可能である。すなわち、心電計本体に露出電極を設けず、外部電極のみを用いて心電波形を測定するように構成された携帯型心電計セットに本発明を適用することも当然に可能である。
【００８８】
また、上述した本発明の実施の形態１ないし３においては、外部電極を心電計本体に接続するための外部電極接続用のリード部が心電計本体に対して着脱自在に構成された携帯型心電計セットを例示して説明を行なったが、外部電極接続用のリード部が心電計本体と一体的に形成された携帯型心電計セットに本発明を適用することも可能である。
【００８９】
また、上述した本発明の実施の形態１ないし３においては、収容部材として巾着袋を具備した携帯型心電計セットを例示して説明を行なったが、収容部材としてはこの他にもいわゆるソフトケースやハードケース、システムバッグなど、種々のものが利用可能である。
【００９０】
さらには、上述した本発明の実施の形態１ないし３においては、心電計本体、外部電極接続用のリード部または収容部材に対するクリップ被取付部の取付けを紐状のストラップを用いて行なった場合を例示したが、帯状のストラップや鎖状のストラップ等を使用することも当然に可能であり、またストラップを用いずにこれら部材に一体的に形成すること等としてもよい。
【００９１】
このように、今回開示した上記各実施の形態はすべての点で例示であって、制限的なものではない。本発明の技術的範囲は特許請求の範囲によって画定され、また特許請求の範囲の記載と均等の意味および範囲内でのすべての変更を含むものである。
【図面の簡単な説明】
【００９２】
【図１】本発明の実施の形態１における携帯型心電計セットに含まれる心電計本体の外観構造を示す斜視図である。
【図２】本発明の実施の形態１における携帯型心電計セットに含まれる心電計本体の外観構造を示す斜視図である。
【図３】図１および図２に示す心電計本体の正面図である。
【図４】図１および図２に示す心電計本体の上面図である。
【図５】図１および図２に示す心電計本体の下面図である。
【図６】図１および図２に示す心電計本体の右側面図である。
【図７】図１および図２に示す心電計本体の左側面図である。
【図８】本発明の実施の形態１における携帯型心電計セットに含まれる外部電極接続用のリード部の外観構造を示す模式図である。
【図９】外部電極接続用のリード部を差し込むための開閉カバーを開状態とした場合の心電計本体の上面図である。
【図１０】外部電極接続用のリード部および外部端末接続用のリード部を択一的に心電計本体に差し込む様子を示した模式図である。
【図１１】本発明の実施の形態１における携帯型心電計セットに含まれる収容部材としての巾着袋の外観構造を示す正面図である。
【図１２】本発明の実施の形態１における携帯型心電計セットに含まれる心電計本体等の機能ブロックを示す図である。
【図１３】本発明の実施の形態１における携帯型心電計セットに含まれる心電計本体の処理フローを示す図である。
【図１４】本発明の実施の形態１における携帯型心電計セットに含まれる心電計本体の表示部における測定結果の表示例を示す図である。
【図１５】本発明の実施の形態１における携帯型心電計セットに含まれる心電計本体の表示部における測定結果の表示例を示す図である。
【図１６】本発明の実施の形態１における携帯型心電計セットにおいて、第１の測定態様にて心電波形を測定する場合に被験者がとるべき測定姿勢を示す図である。
【図１７】本発明の実施の形態１における携帯型心電計セットにおいて、第１の測定態様にて心電波形を測定する場合に被験者がとるべき測定姿勢を示す図である。
【図１８】図１６および図１７に示す測定姿勢を被験者がとった場合の被験者の右手による把持状態を示す図である。
【図１９】本発明の実施の形態１における携帯型心電計セットにおいて、第２の測定態様にて心電波形を測定する場合に外部電極を装着すべき位置の一例を示す図である。
【図２０】本発明の実施の形態１における携帯型心電計セットにおいて、第２の測定態様にて心電波形を測定する場合に外部電極を装着すべき位置の他の例を示す図である。
【図２１】本発明の実施の形態１における携帯型心電計セットにおいて、収容部材としての巾着袋に心電計本体および外部電極接続用のリード部を収容する態様について説明するための図である。
【図２２】本実施の形態における携帯型心電計セットにおいて、収容部材としての巾着袋に心電計本体および外部電極接続用のリード部を収容した状態を示す図である。
【図２３】本実施の形態における携帯型心電計セットにおいて、断線チェックを行なう場合の電気的な接続を示す模式図である。
【図２４】外部電極接続用のリード部のケーブルに断線がない場合の心電計本体の表示部の表示例を示す図である。
【図２５】外部電極接続用のリード部のケーブルに断線がある場合の心電計本体の表示部の表示例を示す図である。
【図２６】本発明の実施の形態２における携帯型心電計セットにおいて、収容部材としての巾着袋に心電計本体および外部電極接続用のリード部を収容する態様について説明するための図である。
【図２７】本発明の実施の形態３における携帯型心電計セットにおいて、収容部材としての巾着袋に心電計本体および外部電極接続用のリード部を収容する態様について説明するための図である。
【符号の説明】
【００９３】
１Ａ〜１Ｃ  携帯型心電計セット、１００  心電計本体、１０１  正面、１０２  背面、１０３  上面、１０４  下面、１０５  右側面、１０５ａ  凹部、１０６  左側面、１０６ａ  突部、１２１  負電極、１２２  正電極、１２３  不関電極、１３０Ａ〜１３０Ｃ  開閉カバー、１３１，１３２  雌型コネクタ、１３３  外部端末、１３４  外部メモリ、１４０  操作部、１４１  電源ボタン、１４２  測定ボタン、１４３  メニューボタン、１４４  決定ボタン、１４５  左スクロールボタン、１４６  右スクロールボタン、１４８  表示部、１５０  処理回路、１５１  アンプ回路、１５２  フィルタ回路、１５３  Ａ／Ｄコンバータ、１５５  内部メモリ、１５６  タイマ、１６０  電源、１６２  縮小波形、１６３  脈拍数、１６４  拡大波形、１６４  波形、１６５  スケールバー、１６６  ポインタ、１６７  メッセージ、１７０  携帯用ストラップ、１７１  ストラップ、１７２  クリップ被取付部、２００  外部電極接続用のリード部、２１０  雄型コネクタ、２１０ａ  遮蔽部、２１２  接続端子、２２０  集合ケーブル、２２１〜２２３  ケーブル、２３１〜２３３  クリップ、２４１〜２４３  接点、２５１  ストラップ、２５２  クリップ被取付部、３００  巾着袋、３１０  袋部、３１１  出し入れ口、３１２  紐、３１３  ロック部材、３２１  ストラップ、３２２  クリップ被取付部、４００  外部端末接続用のリード部、４１０  雄型コネクタ、４１０ａ  遮蔽部、４１２  接続端子、４５１  負電極、４５２  正電極、４５３  不関電極、５００  被験者、５１０  右手、５１１  親指、５１２  人指し指、５２０  前腕、５３０  上腕、５４０  右肩、５５０  胸部。
【図１】
2009082366.tif 000003
【図２】
2009082366.tif 000004
【図３】
2009082366.tif 000005
【図４】
2009082366.tif 000006
【図５】
2009082366.tif 000007
【図６】
2009082366.tif 000008
【図７】
2009082366.tif 000009
【図８】
2009082366.tif 000010
【図９】
2009082366.tif 000011
【図１０】
2009082366.tif 000012
【図１１】
2009082366.tif 000013
【図１２】
2009082366.tif 000014
【図１３】
2009082366.tif 000015
【図１４】
2009082366.tif 000016
【図１５】
2009082366.tif 000017
【図１６】
2009082366.tif 000018
【図１７】
2009082366.tif 000019
【図１８】
2009082366.tif 000020
【図１９】
2009082366.tif 000021
【図２０】
2009082366.tif 000022
【図２１】
2009082366.tif 000023
【図２２】
2009082366.tif 000024
【図２３】
2009082366.tif 000025
【図２４】
2009082366.tif 000026
【図２５】
2009082366.tif 000027
【図２６】
2009082366.tif 000028
【図２７】
2009082366.tif 000029